(57)【要約】【課題】本発明は、メンテナンス性の向上を図ることを目的とするものである。【解決手段】天井に固定される吊り下げ部１と、この吊り下げ部１に保持されるモータ部２とを設け、このモータ部２は、吊り下げ部１に固定されるステータ部３と、このステータ部３の外周を回転するロータ部４とから形成し、このロータ部４には、複数の羽根部５と、下面が開口した略椀形状の上部本体カバー６とを設け、ステータ部３の下部には、回路基板保持カバー７と、回路基板部８と、上面が開口した略椀形状の下部本体カバー９とを設け、下部本体カバー９は、下部本体カバー９の上面から回路基板部８を囲むように回路基板保持カバー７まで延びた筒部１０を備えたものである。【選択図】図２
2012140915.tif 000002
【特許請求の範囲】
【請求項１】
天井に設置される吊り下げ部と、この吊り下げ部に保持されるモータ部とを設け、このモータ部は、前記吊り下げ部に固定されるステータ部と、このステータ部の外周を回転するロータ部とから形成し、このロータ部には、複数の羽根部と、下面が開口した略椀形状の上部本体カバーとを設け、前記ステータ部の下部には、回路基板保持カバーと、回路基板部と、上面が開口した略椀形状の下部本体カバーとを設け、前記下部本体カバーは、前記下部本体カバーの上面から前記回路基板部を囲むように前記回路基板保持カバーまで延びた筒部を備えたことを特徴とする天井扇風機。
【請求項２】
前記上部本体カバーは、上下方向に貫通した貫通孔を備え、この貫通孔から前記回路基板保持カバーと前記下部本体カバーとをねじ止めできることを特徴とする請求項１に記載の天井扇風機。
【請求項３】
前記貫通孔は、前記上部本体カバーの外方向に位置する構成とした請求項２に記載の天井扇風機。
【請求項４】
前記貫通孔は、長孔円弧形状である請求項２または３に記載の天井扇風機。
【請求項５】
前記貫通孔は、前記上部本体カバーの段落ち部に設けた構成とした請求項２〜４のいずれかに記載の天井扇風機。
【請求項６】
前記貫通孔は、前記羽根部と前記羽根部との間に位置すると共に、前記羽根部は、前記ロータ部の上部に、上から下方向へねじ止めし固定する構成とした請求項２〜５のいずれかに記載の天井扇風機。
【発明の詳細な説明】
【技術分野】
【０００１】
本発明は、天井から吊下げられた天井扇風機に関する。
【背景技術】
【０００２】
従来、この種の天井扇風機の構成は、以下のようになっていた。
【０００３】
すなわち、天井に固定される吊下手段と、この締結部に保持される本体部で構成され、本体部は、上部本体カバーと、回路基板部と、上部回路基板カバーと、下部回路基板カバーと、下部本体カバーを備える構成となっていた。
【０００４】
例えば、これに類似する先行文献は下記特許文献１に記載されている。
【先行技術文献】
【特許文献】
【０００５】
【特許文献１】特開２０１０−１６９００１号公報
【発明の概要】
【発明が解決しようとする課題】
【０００６】
このような従来の構成では、メンテナンス性が悪いという課題を有していた。
【０００７】
すなわち、従来の物においては、回路基板部を上部回路基板カバーと下部回路基板カバーとによって覆うことにより、回路基板部への埃の侵入を抑制していた。つまり、上部回路基板カバーに、回路基板部の下方から下部回路基板カバーを締結し、更に、その上部回路基板カバーと、回路基板部と、下部回路基板カバーとを下部本体カバーで覆う構成になっていた。
【０００８】
これにより、回路基板部を交換する場合には、まず、下部本体カバーを外し、次に下部回路基板カバーを外し、そして、回路基板部を交換するものであった。その結果として、部品点数が多く、メンテナンス性が悪いものであった。
【０００９】
そこで本発明は、上記従来の課題を解決するものであり、メンテナンス性の良い天井扇風機を提供することを目的とする。
【課題を解決するための手段】
【００１０】
そして、この目的を達成するために、天井に固定される吊り下げ部と、この吊り下げ部に保持されるモータ部とを設け、このモータ部は、前記吊り下げ部に固定されるステータ部と、このステータ部の外周を回転するロータ部とから形成し、このロータ部には、複数の羽根部と、下面が開口した略椀形状の上部本体カバーとを設け、前記ステータ部の下部には、回路基板保持カバーと、回路基板部と、上面が開口した略椀形状の下部本体カバーとを設け、前記下部本体カバーは、前記下部本体カバーの上面から前記回路基板部を囲むように前記回路基板保持カバーまで延びた筒部を備えたことを特徴とするものであり、これにより初期の目的を達成するものである。
【発明の効果】
【００１１】
本発明によれば、天井に固定される吊り下げ部と、この吊り下げ部に保持されるモータ部とを設け、このモータ部は、前記吊り下げ部に固定されるステータ部と、このステータ部の外周を回転するロータ部とから形成し、このロータ部には、複数の羽根部と、下面が開口した略椀形状の上部本体カバーとを設け、前記ステータ部の下部には、回路基板保持カバーと、回路基板部と、上面が開口した略椀形状の下部本体カバーとを設け、前記下部本体カバーは、前記下部本体カバーの上面から前記回路基板部を囲むように前記回路基板保持カバーまで延びた筒部を備えたことを特徴とするものであり、メンテナンス性を向上できるものである。
【００１２】
すなわち、下部本体カバーには、下部本体カバーの上面から回路基板部を囲むように回路基板保持カバーまで延びた筒部を設けたので、回路基板部は、回路基板保持カバーと、下部本体カバーの底面と、下部本体カバーの筒部とによって覆われることにより、回路基板部への埃の侵入が抑制されるものである。更に、回路基板部を交換する場合には、下部本体カバーを外すだけで回路基板部を交換できるものである。つまり、下部本体カバーに筒部を設けることにより、従来は２部品であった構成を１部品とすることができ、結果として、部品点数が減ることにより、メンテナンス性が向上した天井扇風機を提供することができる。
【図面の簡単な説明】
【００１３】
【図１】本発明の実施の形態１の天井扇風機概要を示す全体図
【図２】同天井扇風機の概略断面を示す図
【図３】同下部本体カバーの締結概要を示す拡大斜視図
【図４】同上部本体カバーの開口部を示す拡大斜視図
【発明を実施するための形態】
【００１４】
以下、本発明の実施の形態について図面を参照しながら説明する。
【００１５】
（実施の形態１）
図１、図２に示すように、本実施形態の天井扇風機は、天井に設置される略円柱形状の吊り下げ部１と、この吊り下げ部１の下端にモータ部２が固定されている。このモータ部２は、吊り下げ部の下端に固定される略円板形状のステータ部３と、このステータ部３の外周を回転する略環形状のロータ部４とから形成している。ロータ部４の周縁部には、ロータ部４から外方水平方向に延びた複数の羽根部５を備え、ロータ部４の上面には、下面が開口した略椀形状の上部本体カバー６とを設けている。ステータ部３の下部には、回路基板保持カバー７と、回路基板部８と、下部本体カバー９とを順次備えている。
【００１６】
回路基板保持カバー７は、下面が開口した略椀形状で、材質は難燃樹脂で形成され、ステータ部３の下面に固定されている。回路基板部８は、回路基板保持カバー７の下面、つまり、下面が開口した略椀形状の回路基板保持カバー７内に固定されている。下部本体カバー９は、上面が開口した略椀形状で、材質は難燃樹脂で形成され、回路基板保持カバー７、および回路基板部８を下から覆うように固定されている。下部本体カバー９の周縁部は、上部本体カバー６の周縁部の外側に、上部本体カバー６の周縁部と隙間を備え位置するものである。以上の構成の天井扇風機を運転すると、モータ部２のロータ部４が回転し、それに伴い、複数の羽根部５と、上部本体カバー６とが回転するものである。
【００１７】
本実施形態における特徴は、下部本体カバー９の上面から回路基板部８を囲むように回路基板保持カバー７まで延びた筒部１０を備えた点である。具体的には、下部本体カバー９は、上面が開口した略椀形状の下部本体カバー９の上面、つまり内面から上方向に延びた略円筒形状の筒部１０を備えている。この筒部１０の上端部が、回路基板保持カバー７の周縁下部に当接するものである。
【００１８】
すなわち、下部本体カバー９には、下部本体カバー９の上面から回路基板部８を囲むように回路基板保持カバー７まで延びた筒部１０を設けたので、回路基板部８は、回路基板保持カバー７と、下部本体カバー９の底面と、下部本体カバー９の筒部１０とによって覆われることにより、回路基板部８への埃の侵入が抑制されるものである。更に、回路基板部８を交換する場合には、下部本体カバー９を外すだけで回路基板部８を交換できるものである。つまり、下部本体カバー９に筒部１０を設けることにより、従来は２部品であった構成を１部品とすることができ、結果として、部品点数が減ることにより、メンテナンス性が向上した天井扇風機を提供することができる。
【００１９】
また、回路基板保持カバー７と下部本体カバー９は難燃性の樹脂材料からなるものであるので、回路基板部８が高温状態になった場合にも、回路基板保持カバー７および下部本体カバー９からの発火を防止できるものである。
【００２０】
また、図２、図３に示すように、上部本体カバー６は、上下方向に貫通した貫通孔１１を備え、この貫通孔１１から回路基板保持カバー７と下部本体カバー９とをねじ止めできるものである。具体的には、上部本体カバー６は、上下方向に貫通した複数の貫通孔１１を備えている。回路基板保持カバー７は、回路基板保持カバー７の周縁部で上部本体カバー６の貫通孔１１の下部に、ねじ受け部１２を備えている。このねじ受け部１２は、上面が開口した略椀形状で、中央部に上下方向に貫通した孔であるねじ孔部１３を備えている。下部本体カバー９は、下部本体カバー９の内面で上部本体カバー６の貫通孔１１の下部に、ねじ固定部１４を備えている。このねじ固定部１４は、下部本体カバー９の内面から上方向に延びた筒形状である。この下部本体カバー９のねじ固定部１４の上端は、回路基板保持カバー７のねじ受け部１２の下面と当接するものである。下部本体カバー９は、回路基板保持カバー７のねじ受け部１２と、下部本体カバー９のねじ固定部１４とを、上部本体カバー６の上部より、上部本体カバー６の貫通孔から挿入される金属性のねじ１５によって、ねじ止めすることにより固定されるものである。
【００２１】
すなわち、上部本体カバー６は、上下方向に貫通した貫通孔１１を備えているので、上部本体カバー６の貫通孔１１からドライバーを挿入し、この貫通孔１１の下部に位置し、回路基板保持カバー７のねじ受け部１２と、下部本体カバー９のねじ固定部１４とを締結しているねじ１５を外すことにより、下部本体カバー９を外すことができるものである。
【００２２】
また、上部本体カバー６の貫通孔１１は、上部本体カバー６の上面に上下方向に貫通しているので、モータ部２および回路基板部８から発生した熱を放出することができる。
【００２３】
また、下部本体カバー９の筒部１０の外周に連通孔２１を備えたものである。具体的には、筒部１０の外周である下部本体カバー９部分に複数の連通孔２１を備えたものである。これにより、モータ部２から発生した熱によって、モータ部２から上部本体カバー６の貫通孔１１への上昇気流が発生し、この上昇気流によって筒部１０の外周の連通孔２１から室内の空気が、筒部１０の外周面に沿って下部本体カバー９内に入るものである。この筒部１０の外周面に沿って入る空気によって回路基板部８から発生した熱を放出することができる。
【００２４】
また、貫通孔１１は、上部本体カバー６の外方向に位置する構成としたものである。具体的には、貫通孔１１は、上部本体カバー６の周縁部近傍に設けたものである。これにより、上部本体カバー６の貫通孔からドライバーを容易に挿入できるものである。
【００２５】
また、貫通孔１１は、長孔円弧形状である。具体的には、貫通孔１１は、長孔形状で、上部本体カバー６の回転方向に延びた長孔円弧形状である。これにより、下部本体カバー９を取り外す際に、上部本体カバー６の貫通孔１１からドライバーを挿入し、ドライバーを容易にねじ１５の位置に合わせることができものである。また、上部本体カバー６の貫通孔１１は、上部本体カバー６の回転方向に延びた長孔円弧形状であるので、モータ部２および回路基板部８から発生した熱をより効率よく放出することができる。
【００２６】
また、貫通孔１１は、上部本体カバー６の段落ち部１６に設けたものである。具体的には、上部本体カバー６は、上部本体カバー６から下方向に凹んだ段落ち部１６を備え、この段落ち部１６に貫通孔１１を設けたものである。このような構成によれば、下部本体カバー９内下部に溜まった熱を放出することができる。
【００２７】
また、図２、図４に示すように、貫通孔１１は、羽根部５と羽根部５との間に位置すると共に、羽根部５は、ロータ部４の上部に、上から下方向へねじ止めし固定する構成としたものである。具体的には、羽根部５は、羽根部５の一端部にねじ１７のねじ部が貫通する羽根部取付孔１８を複数備えている。ロータ部４の周縁部には、雌ねじが切られた羽根部固定孔１９を複数備えている。上部本体カバー６は、このロータ部４の羽根部固定孔１９周辺に、開口である開口部２０を備えている。これにより、羽根部５は、ロータ部４の上部に、上部本体カバー６の開口部２０を介して、上から下方向へねじ止めすることにより固定できるものである。
【００２８】
すなわち、羽根部５は、ロータ部４の上部に、上部本体カバー６の開口部２０を介して、上から下方向へねじ止めされているので、下部本体カバー９は、羽根部５を外すことなく、下部本体カバー９のみを外すことができるものである。これにより、回路基板部８の交換時に、他の部品を外すことなく、下部本体カバー９を取り外すことができるものである。
【産業上の利用可能性】
【００２９】
以上のように本発明は、天井に固定される吊り下げ部と、この吊り下げ部に保持されるモータ部とを設け、このモータ部は、前記吊り下げ部に固定されるステータ部と、このステータ部の外周を回転するロータ部とから形成し、このロータ部には、複数の羽根部と、下面が開口した略椀形状の上部本体カバーとを設け、前記ステータ部の下部には、回路基板保持カバーと、回路基板部と、上面が開口した略椀形状の下部本体カバーとを設け、前記下部本体カバーは、前記下部本体カバーの上面から前記回路基板部を囲むように前記回路基板保持カバーまで延びた筒部を備えたことを特徴とするものであり、メンテナンス性を向上できるものである。
【００３０】
すなわち、下部本体カバーには、下部本体カバーの上面から回路基板部を囲むように回路基板保持カバーまで延びた筒部を設けたので、回路基板部は、回路基板保持カバーと、下部本体カバーの底面と、下部本体カバーの筒部とによって覆われることにより、回路基板部への埃の侵入が抑制されるものである。更に、回路基板部を交換する場合には、下部本体カバーを外すだけで回路基板部を交換できるものである。つまり、下部本体カバーに筒部を設けることにより、従来は２部品であった構成を１部品とすることができ、結果として、部品点数が減ることにより、メンテナンス性が向上した天井扇風機を提供することができる。
【００３１】
従って、家庭用や事務所用などの、天井扇風機として活用が期待されるものである。
【符号の説明】
【００３２】
１    吊り下げ部
２    モータ部
３    ステータ部
４    ロータ部
５    羽根部
６    上部本体カバー
７    回路基板保持カバー
８    回路基板部
９    下部本体カバー
１０  筒部
１１  貫通孔
１２  ねじ受け部
１３  ねじ孔部
１４  ねじ固定部
１５  ねじ
１６  段落ち部
１７  ねじ
１８  羽根部取付孔
１９  羽根部固定孔
２０  開口部
２１  連通孔
【図１】
2012140915.tif 000003
【図２】
2012140915.tif 000004
【図３】
2012140915.tif 000005
【図４】
2012140915.tif 000006